(57)【特許請求の範囲】
【請求項１】
洗濯複数回分の洗剤を貯留して、その中から必要量の洗剤を自動的に投入する洗剤投入装置と、
この洗剤投入装置の洗剤投入先の部位に着脱可能に装着され、洗剤投入装置から投入される洗剤を受ける洗剤受け部を有する着脱可能部材と、
給水源から供給される水を受けて、その水を前記着脱可能部材の洗剤受け部に流して洗濯槽内に注水する注水部材と、
浴槽から風呂水を吸い上げて供給する給水ポンプとを具え、
前記風呂水を使用して洗濯を行うときの洗剤投入時には、最初に、給水ポンプに水道の蛇口から呼び水を注入すると共に、注水部材から洗濯槽内に水道水を注入し、その呼び水を注入する時間内に前記洗剤投入装置からの洗剤の投入をするようにしたことを特徴とする洗濯機。
【請求項２】
着脱可能部材の洗剤受け部を傾斜させたことを特徴とする請求項１記載の洗濯機。
【請求項３】
注水部材が、着脱可能部材の洗剤受け部に向けて水道水を流す給水路と、これと隣り合う水路とを有し、それらを隔てた壁の高さを、少なくとも一部、両水路の他の部分の壁の高さより低くしたことを特徴とする請求項１記載の洗濯機。
【請求項４】
浴槽から風呂水を吸い上げて供給する給水ポンプを具え、注水部材が、その給水ポンプを固定する固定手段を有することを特徴とする請求項１記載の洗濯機。
【請求項５】
注水部材が、着脱可能部材の洗剤受け部に臨む給水出口から斜め前方へ噴水するようになっていることを特徴とする請求項１記載の洗濯機。
【請求項６】
着脱可能部材が洗剤受け部の上流側に、注水部材から流下する水を整流する整流部材を有することを特徴とする請求項１記載の洗濯機。
【発明の詳細な説明】
【０００１】
【発明の属する技術分野】
本発明は洗剤投入装置を有する洗濯機に関する。
【０００２】
【従来の技術】
従来より、洗濯機においては、洗剤投入装置を有するものが供されている。この洗剤投入装置は洗剤を自動的に投入するもので、その投入は、洗濯槽内に直接行われるものと、洗濯槽内に給水する給水路上に行われるものとが存在する。
【０００３】
【発明が解決しようとする課題】
上記従来のもののうち、洗剤を洗濯槽内に直接投入するものでは、投入された洗剤が、洗濯槽内にあらかじめ収容された洗濯物に直接降りかかって付着し、溶け残りやすいことによって、洗剤本来の洗浄力が充分に発揮されにくいという問題点を有していた。
【０００４】
これに対して、洗剤を洗濯槽内に給水する給水路上に投入するものでは、その給水路上を流れる水によって洗剤を極力溶かしながら洗濯槽内に供給し得るため、洗剤の溶け残りが少なく、洗剤本来の洗浄力を充分に発揮させることが可能である。
【０００５】
しかしながら、このものの場合、給水路上ではここの水気により洗剤が付着して固まることがあり、それを放置すると、洗剤の固まりが大きくなって洗剤の流し出しがスムーズにできなくなる。このため、時折、給水路上の清掃をする必要があるが、この給水路は洗剤投入装置の洗剤投入先の部位（一般には下方）に位置していて、使用者の手が届きにくく、充分な清掃ができないという問題点を有していた。
【０００６】
本発明は上述の事情に鑑みてなされたものであり、従ってその目的は、主として、洗剤を極力溶かしながら洗濯槽内に供給し得るばかりでなく、その洗剤が付着して固まった部分の清掃も充分にできる洗濯機を提供するにある。
【０００７】
【課題を解決するための手段】
上記目的を達成するために、本発明の洗濯機は、洗濯複数回分の洗剤を貯留して、その中から必要量の洗剤を自動的に投入する洗剤投入装置と、この洗剤投入装置の洗剤投入先の部位に着脱可能に装着され、洗剤投入装置から投入される洗剤を受ける洗剤受け部を有する着脱可能部材と、給水源から供給される水を受けて、その水を前記着脱可能部材の洗剤受け部に流して洗濯槽内に注水する注水部材と、浴槽から風呂水を吸い上げて供給する給水ポンプとを具え、前記風呂水を使用して洗濯を行うときの洗剤投入時には、最初に、給水ポンプに水道の蛇口から呼び水を注入すると共に、注水部材から洗濯槽内に水道水を注入し、その呼び水を注入する時間内に前記洗剤投入装置からの洗剤の投入をするようにしたことを特徴とする（請求項１の発明）。
【０００８】
このものによれば、洗剤投入装置から投入された洗剤は、着脱可能部材の洗剤受け部に落ちる。又、その洗剤受け部には、給水源から供給された水が注水部材により流されるもので、この洗剤受け部を流れる水によって、該洗剤受け部に落ちた洗剤が溶かされながら洗濯槽内に供給される。
そして、その洗剤受け部には、水気により洗剤が付着して固まることがあるものの、着脱可能部材の全体をその着脱性により取出すことによって、洗剤受け部も取出すことができ、この取出した洗剤受け部に対して、固まった洗剤を取り除く清掃が充分にできる。
加えて、風呂水を使用して洗濯を行うときの洗剤投入時には、洗剤の溶解、流し出しが風呂水によってでなく水道水によってでき、風呂水から発せられる湯気、湿気等による洗剤投入装置の洗剤出口部分及び洗剤投入装置内での洗剤の固まりを回避することが可能である。
【００１１】
又、着脱可能部材の洗剤受け部は傾斜させると良い（請求項２の発明）。
このものでは、洗剤受け部を流れる水の流速が、洗剤受け部の傾斜に応じて増し、それによって、洗剤の溶解、流し出しが一層確実にできる。
【００１２】
注水部材は、着脱可能部材の洗剤受け部に向けて水道水を流す給水路と、これと隣り合う水路とを有し、それらを隔てた壁の高さを、少なくとも一部、両水路の他の部分の壁の高さより低くすると良い（請求項３の発明）。
このものでは、水道水圧の変化により、水道水を流す給水路に多量の水が流れたとき、その余剰分を、隣り合う水路との間の壁の低い部分から隣り合う水路に溢出させて調整することができ、もって、過多量の水による洗剤の飛散や、注水部材の他の部分からの水漏れを防止することが可能である。
【００１３】
浴槽から風呂水を吸い上げて供給する給水ポンプを具えたものにおいては、注水部材が、その給水ポンプを固定する固定手段を有すると良い（請求項４の発明）。
このものでは、注水部材に給水ポンプを固定することによって、それらをコンパクトに組立てることができ、配置に場所をとらないようにできる。又、それらをユニット化して組立てることも可能で、組立性が良くなる。
【００１４】
注水部材は、着脱可能部材の洗剤受け部に臨む給水出口から斜め前方へ噴水するようになっていると良い（請求項５の発明）。
このものでは、着脱可能部材を取出した状態で給水が行われたとき、注水部材の給水出口からは、水が洗濯槽内に向かって噴出され、着脱可能部材を取出した箇所の底面に当たって跳ねることが避けられるので、洗濯機外への水の飛散を防止することが可能である。
【００１５】
着脱可能部材は洗剤受け部の上流側に、注水部材から流下する水を整流する整流部材を有すると良い（請求項６の発明）。
このものでは、洗剤受け部に、整流部材で整流した水を流すことができ、もって、洗剤投入装置の洗剤出口部分への水跳ねを防止できると共に、洗剤の流し出しが、よりスムーズにできる。
【００１６】
【発明の実施の形態】
以下、本発明の一実施例につき、図面を参照して説明する。
まず、図２には、洗剤投入装置付き洗濯機の外観を示しており、外箱１と、これの最上部に装着したトップカバー２とで洗濯機本体の外殻を構成し、その外箱１の内部に洗濯槽３を配設している。この洗濯槽３は脱水槽を兼ねるもので、外箱１の内部に弾性支持して配設した図示しない水槽の内部に収容して軸支しており、図示しないモータにより回転されることによって脱水を行うようになっている。又、洗濯槽３の内部には洗濯用の撹拌体（これも図示せず）を配設しており、これを上述のモータにより正逆回転させることによって、洗濯を行うようになっている。
【００１７】
これに対して、トップカバー２には、洗濯槽３内に臨む洗濯物出入口４を形成しており、この洗濯物出入口４に対しては、例えば二つ折りの蓋５を開閉可能に設けている。又、トップカバー２の前部には、洗濯機の運転に係る操作をするための操作パネル６を設けており、後部にはバックカバー７を設けている。更に、外箱１の背面部には、上部に衣類乾燥機を設置することが可能なスタンド８の両脚部８ａを左右の両側に取付けている。
【００１８】
そして、上記バックカバー７には洗剤投入装置９を取付けている。この洗剤投入装置９は、詳細には図３に示すように、ホッパ１０の周囲部に外ケース１１を有するもので、その外ケース１１の左右両側の下部に形成した爪１２，１３を、バックカバー７の洗剤投入装置取付口１４の左右両側部に形成した爪掛け部１５，１６にそれぞれ弾性係合させることによって、バックカバー７に着脱可能に取付けている。
【００１９】
又、洗剤投入装置９の上記ホッパ１０の内下部には、多数の突起を有する洗剤撹拌体１７を横軸回転可能に軸支して設けており、更にその下方のホッパ１０内最下部には、洗剤送出体１８を設けている。この洗剤送出体１８はコイル、特には図中左側の基端部から中間部まで漸次径大となって、中間部から図中右側の先端部までストレートに径大なコイルから成っており、これの中間部に洗剤撹拌体１７の突起の一つを係合させている。従って、洗剤送出体１８が回転されれば、それに伴って洗剤撹拌体１７も、洗剤送出体１８と係合する突起を順次送り変えて回転されるようになっている。
【００２０】
更に、ホッパ１０の最下部の図中右側端部には洗剤出口１９を有しており、これの内部に上記洗剤送出体１８の先端部を位置させている。又、この洗剤出口１９には、栓２０を開閉部材として設けており、この栓２０は、図１に示すように、ホッパ１０の背部に設けた例えばモータを主体とする開閉駆動装置２１によって、支軸２２を中心に左右（図１中、紙面と直交する方向）に回動されることにより、開閉されるようになっている。
【００２１】
一方、図３に示すように、ホッパ１０の最下部の左側端部には軸受部２３を有しており、これの内部に上記洗剤送出体１８の基端部に一体化した軸２４を位置させている。この軸２４の洗剤送出体１８側とは反対の左側部には従動ギヤ２５を設けており、この従動ギヤ２５に噛合して回転力を伝える駆動ギヤ２６をモータ２７の回転軸に取付けている。
【００２２】
上記モータ２７は、前記洗濯槽３の後方上部である、前記トップカバー２の洗濯物出入口４より後方の部分に存する取付ベース部２８、中でもその図中左側端部に配置して固定したものであり、このほか、取付ベース部２８には、注水部材としての注水ケース２９と、給水ポンプ３０、給水弁３１、及び図４に示す安全スイッチ３２、水位センサ３３を配置して固定している。又、この取付ベース部２８上には、前記バックカバー７に取付けた洗剤投入装置９も位置している。
【００２３】
ここで、注水ケース２９は、図５及び図６に示すように、左右に長い横長状のもので、その上部の最前部には第１の給水路３４をその全幅にわたって有しており、その後側に第２の給水路３５と第３の給水路３６及び調整水路３７を有している。又、その第１ないし第３の給水路３４〜３６のそれぞれ左側端部の底部には、それぞれ複数又は１つの貫通孔から成る給水出口３８，３９，４０を有しており、第１の給水路３４の第３の給水路３６側及び調整水路３７側には、給水出口３８よりも充分に小さな水抜口４１を有している。このほか、調整水路３７には排水通口４２を有している。
【００２４】
更に、第１の給水路３４と、これと隣り合う水路である調整水路３７とを隔てた壁４３については、図７に示すように、これの高さｈ2 を、それら両水路３４，３７の他の部分の壁の高ｈ1 さより低くしている（ｈ1 ＞ｈ2 ）。この場合、壁４３はその全部を低くしているが、一部のみを低くしても良い。このほか、第１の給水路３４については、図６に示すように、給水出口３８の部分を、残水が排出されやすいように、それとは反対側の部分を含む他の部分の底面より段差Ｓだけ低くしている。
【００２５】
又、第１の給水路３４の給水出口３８については、図８に示すように、これを形成した面の部分４４を前上がりに傾斜させることにより、該給水出口３８から矢印Ｘで示す斜め前方（洗濯槽３内側）へ噴水するようにしている。なお、この場合、給水出口３８の後側にはそれぞれ窪み４５を形成してもおり、これによって、給水出口３８からは、より確実に斜め前方へ噴水するようにしている。
そして、上記第１ないし第３の給水路３４〜３６及び調整水路３７の上面の開放部には、図４に示す共通の密閉蓋４６を有している。
【００２６】
一方、上記給水出口３８及び排水通口４１の下方には、図５及び図６に示すように、これらが連通する第１の流水路４７を有しており、又、給水出口３９，４０の下方には、これらが連通する第２の流水路４８を有している。これらの流水路４７，４８の奥行は、図１に第１の流水路４７で代表して示すように、第１ないし第３の給水路３４〜３６及び調整水路３７の前後寸法よりも大きなものであり、その両奥端部４７ａ，４８ａが閉塞され、両前端部が開放していて、該両開放口は、更にその前方で、図６に示すように一つに連なり、共通の横長な注水出口４９により洗濯槽３内に臨んでいる。
【００２７】
更に、両流水路４７，４８の奥端部４７ａ，４８ａは、水の流れをスムーズにするために、図５に示すごとく、それぞれ両側の隅部を弧状にした、全体としてほゞ円弧状に形成している。又、これら両流水路４７，４８間には、流水の広がりを抑制するためと補強のために、図６に示すごとく隔壁５１が存しており、そのほか、第３の給水路３６の給水出口４０及び調整水路３７の排水通口４２の下方には、流水を中央部に寄せるために、両端部よりほゞ中央の部分が低くなる例えばＵ字状の水受け５２を設けている。
【００２８】
そして又、第１の流水路４７の上面部には、図５に示すように、洗剤通口５３を形成しており、これ以外、両流水路４７，４８は、両上下面部も閉塞され、更に、両左右の側面部も閉塞されている。
更に、両流水路４７，４８の上方には、前記給水ポンプ３０のためのポンプ取付面５４を形成しており、このポンプ取付面５４には、図９にも示すように、前後２つのクッション止め部５５，５６を形成し、更に、その後方には、給水ポンプ３０を固定する固定手段としての爪５７を形成している。
【００２９】
しかして、この構成で、注水ケース２９は、図４に示すように、前記取付ベース部２８の中央部の前側に配置され、その左側であって且つ後側に前記洗剤投入装置９が配置されており、その配置状態で、上記洗剤通口５３に洗剤投入装置９の前記洗剤出口１９が上方より臨み、従って、第１の流水路４７の上方に洗剤投入装置９の洗剤出口１８が位置している。
【００３０】
給水ポンプ３０は、図３に示すように、ケース５８の内部に、モータ５９と、これにより回転駆動される羽根車６０とを設けて成るもので、上記注水ケース２９のポンプ取付面５４上に配置して固定している。詳細には、この場合、図１０に示すように、ケース５８と前記クッション止め部５５，５６との間にそれぞれクッション６１，６２を介在させ、ケース５８の例えばフランジによる背部の段部６３を爪５７に係合させて固定し、上方よりバックカバー７で押さえ付けている。
【００３１】
かくして、給水ポンプ３０を、図４に示すごとく、注水ケース２９後側の洗剤投入装置９右側の部分に配置している。又、給水ポンプ３０は、上記羽根車６０の回転により吸水する吸水口６４を有しており、この吸水口６４を、図３に示すように、バックカバー７から上方に露出させている。
【００３２】
更に、給水ポンプ３０は、図４に示すように、上述の吸水した水を吐出する吐水口６５と、呼び水吸込口６６とを有しており、そのうちの吐水口６５を、接続パイプ６７により、前記注水ケース２９の密閉蓋４６に形成したパイプ接続口６８に接続し、ひいてはそのパイプ接続口６８が臨んだ前記第３の給水路３６の前記給水出口４０側とは反対側の後端部に連通させている。又、呼び水吸込口６６は、接続チューブ６９により、同じく密閉蓋４６に形成したチューブ接続口７０に接続し、ひいてはそのチューブ接続口７０が臨んだ第１の給水路３４の前記給水出口３８側とは反対側の右端部に連通させている。
【００３３】
給水弁３１は、上部に１つの入水口７１を有し、前部に第１及び第２の２つの出水口７２，７３を有するもので、その入水口７１から第１の出水口７２への流路の開放、並びに入水口７１から第２の出水口７３への流路の開放を、ソレノイドやモータ等の電動力により切換える三方弁から成っており、前記洗剤投入装置９との間で上記給水ポンプ３０を挟むように、注水ケース２９の右側に配置し、又、注水ケース２９の後側に配置している。
【００３４】
なお、給水弁３１は、入水口７１を図３に示すように前記バックカバー７から上方に露出させており、第１の出水口７２を前記注水ケース２９の第１の給水路３４の右端部に連通させ、第２の出水口７３を第２の給水路３５の同じく右端部に連通させている。
【００３５】
このほか、安全スイッチ３２は、脱水時における前記洗濯槽（脱水槽）３の異常振動を検知するもので、前記蓋５の開閉に応動する蓋スイッチをも兼ねており、上記給水弁３１の右側に配置している。又、水位センサ３３は、洗濯槽３の貯水水位を検知するもので、上記安全スイッチ３２の更に右側に配置している。
【００３６】
そして、前記注水ケース２９には、引出し７４を着脱可能部材として前後に出し入れ可能（着脱可能）に装着している。この引出し７４は、詳細には図１１及び図１２に示すように、手掛け部７５を有する前板部７６の後側の左側部に洗剤受け部７７を有し、右側部に洗濯補助剤例えば柔軟仕上剤を貯留する貯留部７８を有するもので、そのうちの洗剤受け部７７は、図１３に示すように、後下がり（図１３中、左下がり）に傾斜した板状を成している。
【００３７】
又、この引出し７４の洗剤受け部７７の上流側である基部（図１３中、右端部）上の部分には、コ字形の囲い部７９を設けていて、これの後壁部８０の下端と洗剤受け部７７の上面との間に間隙８１をあけることにより、該後壁部８０を後に詳述するように整流部材として機能させるようにしている。
【００３８】
更に、この場合、囲い部７９の貯留部７８側の側壁８２は、その高さｈ4 を、囲い部７９の後壁部８０を含む他の周壁部の高さｈ3 より低くしており（ｈ3 ＞ｈ4 ）、それと隣る貯留部７８側の側方部には、図１２に示すように、溢水口８３を形成している。
【００３９】
これに対して、貯留部７８は矩形の容器状で、図１４に示すように、その底部から上方に出水筒８４を形成すると共に、これの外周囲に複数のリブ８５による隙間を隔ててキャップ８６を被装したサイフォン部８７を有している。
【００４０】
しかして、この構成で、引出し７４は、洗剤受け部７７を、前方から前記注水ケース２９の第１の流水路４７の内部に位置させて、囲い部７９の内部空間を前記第１の給水路３４の給水出口３８の下方に位置させ、洗剤受け部７７のそのほかの部分を洗剤通口５３の下方に位置させ、ひいては前記洗剤投入装置９の洗剤投入先である洗剤出口１９下方の部位に位置させている。又、貯留部７８を、同じく前方から前記注水ケース２９の第２の流水路４８の内部に位置させて前記第２の給水路３５の給水出口３９の下方の部位に位置させている。
【００４１】
次に、上記構成のものの作用を述べる。
まず、洗濯機の使用に先立ち、給水弁３１の入水口７１と、給水源の一つである図示しない水道の蛇口とを、給水ホース（これも図示せず）で接続する。又、風呂水を使用して洗濯を行う場合には、給水ポンプ３０の吸水口６４に、図示しない吸水ホースの一端部を接続し、この吸水ホースの他端部を給水源の他の一つである図示しない浴槽の風呂水中に浸漬させる。更に、洗剤投入装置９のホッパ１０内には、洗濯複数回分の洗剤（粉末）を入れて、該洗剤投入装置９の蓋８８を閉じる。
【００４２】
こうした状態で、洗濯槽３内に図示しない洗濯物を入れ、蓋５を閉じて、洗濯機の運転を開始させる。すると、最初に、洗濯槽３内の撹拌体を回転させてその回転数を測定する等の方法による洗濯物の量の検知が行われ、続いて、給水弁３１が作動されて入水口７１から第１の出水口７２への流路を開放する。これによって、前記水道の蛇口から給水弁３１を通じて供給される水が、注水ケース２９の第１の給水路３４に入れられ、該第１の給水路３４内を通って、給水出口３８から引出し７４の囲い部７９内空間に落ちて、下方の間隙８１を通ることにより該後壁部８０にて整流されたものが、洗剤受け部７７上を流下し、更に第１の流水路４７内を通って、注水出口４９から洗濯槽３内に注入される。又、このとき、第１の給水路３４からは、接続チューブ６９を通じて、水が給水ポンプ３０内に呼び水として注入される。
【００４３】
従って、このとき、使用者により選択された運転のコースが、風呂水を使用して洗濯を行うコースであれば、その後、給水弁３１に代わって給水ポンプ３０が作動されることにより、前記浴槽内から吸水ホースを通じ風呂水を吸い上げて、その風呂水を、接続パイプ６７を通じ注水ケース２９の第３の給水路３６に入れる。この第３の給水路３６に入れられた風呂水は、その後、該第３の給水路３６内を通り、給水出口４０から水受け５２上に落ちて、この水受け５２上から前方に出、注水出口４９から洗濯槽３内に注入される。
【００４４】
又、このとき、使用者により選択された運転のコースが、風呂水を使用して洗濯を行うコースでなければ、引き続き給水弁３１が作動して前記水道の蛇口から供給される水を前述の経路で洗濯槽３内に注入し続ける。
これらの給水は、洗濯槽３内の貯水水位が先の洗濯物の量の検知結果に応じた水位に達したことが、水位センサ３３により検知されるまで行われる。
【００４５】
そして又、このような給水時には、洗剤投入装置９の栓２０が開閉駆動装置２１により開放されると共に、モータ２７が作動されることにより、駆動ギヤ２６から従動ギヤ２５を介して洗剤送出体１８にコイル螺進方向の回転力が伝達され、この洗剤送出体１８が回転するから、ホッパ１０内に入れられた洗剤が少量ずつ洗剤出口１９から自動的に投入される。しかして、その投入された洗剤は、洗剤出口１９の下方に位置した注水ケース２９（第１の流水路４７）の洗剤通口５３を通って更にその下方に位置した引出し７４の前記洗剤受け部７７に落ち、この洗剤受け部７７上を流下する水に溶かされて流され、その水と共に第１の流水路４７内を通り、注水出口４９から洗濯槽３内に注入される。
【００４６】
特に、この場合、使用者により選択された運転のコースが、風呂水を使用して洗濯を行うコースであれば、上述の洗剤の投入は、先の給水ポンプ３０に対する呼び水の注入をする時間内に行う。
【００４７】
なお、洗剤の投入を行う間、ホッパ１０内では洗剤撹拌体１７が洗剤送出体１８の回転に伴って回転されることにより、ホッパ１０内の洗剤をほぐす働きをする。又、このような洗剤の投入は、先の洗濯物の量の検知結果のほか、例えば水槽の排水弁の部分に設けた図示しない汚れセンサによる洗濯物の汚れの検知結果や、同部に設けた同じく図示しない水温センサによる水温の検知結果等に応じた、最適の量が供給される内容で行われる。
【００４８】
更に、そのとき、第１の給水路３４を流れる水の量が例えば毎分１８リットルなど過多であった場合には、水が第１の給水路３４から、隣り合う調整水路３７との間の壁４３を越えて調整水路３７に溢れ出、排水通口４２から流出して、水受け５２を経、洗濯槽３内に注入される。
【００４９】
加えて、前記第１の給水路３４の給水出口３８から引出し７４の囲い部７９内空間に落ちた水の量が過多であったときには、水が囲い部７９の貯留部７８側の側壁８２を越えて溢水口８３から第１の流水路４７に溢れ出、該第１の流水路４７を通って注水出口４９から洗濯槽３内に注入される。
【００５０】
必要量の洗剤の供給を終えた後には、モータ２７が停止されることによってホッパ１０内の洗剤の送出が終了され、栓２０が開閉駆動装置２１によって閉塞される。
【００５１】
そして、洗濯機の運転が進み、複数回あるうちの最後のすすぎ行程に至ると、給水弁３１が、このときには入水口７１から第２の出水口７３への流路を開放する。これによって、前記水道の蛇口から給水弁３１を通じて供給される水が、注水ケース２９の第２の給水路３５に入れられ、給水出口３９から引出し７４の貯留部７８に至って、該貯留部７８内に溜まる。この貯留部７８内に溜まった水は、サイフォン部８７のキャップ８６と出水筒８４との間を満たして、出水筒８４の上端を越えてからは、サイフォン作用により貯留部７８内に溜まった全量が出水筒８４を通って流出し、更に第２の流水路４８内を通って、注水出口４９から洗濯槽３内に注入される。
【００５２】
従って、このとき、引出し７４の貯留部７８に洗濯補助剤、例えば柔軟仕上剤を入れてセットしておけば、その貯留された柔軟仕上剤が、貯留部７８から出る水と共に洗濯槽３内に注入される。
【００５３】
このように本構成のものでは、洗剤投入装置９から投入された洗剤が、着脱可能部材である引出し７４の洗剤受け部７７上に落ち、又、その洗剤受け部７７上には、水道の蛇口から供給された水が注水部材である注水ケース２９により流されるもので、この洗剤受け部７７上を流れる水によって、該洗剤受け部７７上に落ちた洗剤が溶かされながら洗濯槽内に供給されるので、洗剤の溶け残りが少なく、洗剤本来の洗浄力を充分に発揮させることが可能である。
【００５４】
そして、その洗剤受け部７７には、水気により洗剤が付着して固まることがあるものの、引出し７４の全体をその着脱性により取出すことによって、洗剤受け部７７も取出すことができ、この取出した洗剤受け部７７に対して、固まった洗剤を取り除く清掃がブラッシングや水の流し洗い等によって充分にできる。
【００５５】
又、本構成のものの場合、浴槽から風呂水を吸い上げて供給する給水ポンプ３０を具えており、その風呂水を使用して洗濯を行うときの洗剤投入時には、最初、給水ポンプ３０に水道の蛇口から呼び水を注入すると共に、注水ケース２９から洗濯槽３内に水道水を注入し、その呼び水を注入する時間内に洗剤の投入をするようにしている。これにより、風呂水を使用して洗濯を行うときの洗剤投入時に、洗剤の溶解、流し出しが風呂水によってでなく水道水によってできるから、風呂水から発せられる湯気、湿気等による洗剤投入装置の洗剤出口１９部分及び洗剤投入装置９内での洗剤の固まりを回避することができる。
【００５６】
しかも、引出し７４の洗剤受け部７７は傾斜させており、これによって、洗剤受け部７７上を流れる水の流速が、洗剤受け部７７の傾斜に応じて増し、それによって、第１の流水路４７での洗剤の溶解、並びにその第１の流水路４７からの流し出しが一層確実にできる。
【００５７】
又、注水ケース２９は、引出し７４の洗剤受け部７７に向けて水道水を流す給水路である第１の給水路３４と、これと隣り合う調整水路３７とを有し、それらを隔てた壁４３の高さを、少なくとも一部、両水路３４，３７の他の部分の壁の高さより低くしている。これにより、水道水圧の変化により、第１の給水路３４に多量の水が流れたとき、その余剰分を、壁４３の低い部分から調整水路３７に溢出させて調整することができ、もって、過多量の水による洗剤の飛散や、注水部材の他の部分からの水漏れを防止することができる。
【００５８】
更に又、注水ケース２９は給水ポンプ３０を固定する固定手段として爪５７を有しており、これにより、注水ケース２９に給水ポンプ３０を固定することによって、それらをコンパクトに組立てることができ、配置に場所をとらないようにできる。又、それらをユニット化して組立てることも可能で、組立性を良くできる。
【００５９】
加えて、注水ケース２９は、引出し７４の洗剤受け部７７に臨む給水出口３８から斜め前方へ噴水するようにしている。これにより、引出し７４を取出した状態で給水が行われたとき、注水ケース２９の給水出口３８からは、水が斜め前方の洗濯槽３内に向かって噴出され、引出し７４を取出した第１の流水路４７の底面に当たって跳ねることが避けられるので、洗濯機外への水の飛散を防止することができる。
【００６０】
そして、引出し７４は洗剤受け部７７の上流側に、注水ケース２９から流下する水を整流する整流部材として囲い部７９の後壁部８０を有している。これにより、洗剤受け部７７上には、囲い部７９の後壁部８０で整流した水を流すことができ、もって、洗剤投入装置９の洗剤出口１９部分への水跳ねを防止できると共に、洗剤受け部７７上に落ちた洗剤の流し出しを、よりスムーズに行うことができる。
【００６１】
そのほか、本構成のものでは、引出し７４に洗剤受け部７７と貯留部７８とを一体に有している。これにより、それら洗剤受け部７７と貯留部７８の出し入れや、清掃など、扱いが同時にできて、便利ならしめ得る。たゞし、それら洗剤受け部７７と貯留部７８は別体で具えられていても良い。
【００６２】
【発明の効果】
本発明は以上説明したとおりのもので、下記の効果を奏する。
請求項１の洗濯機によれば、洗剤を溶かしながら洗濯槽内に供給し得ると共に、その洗剤が付着して固まった部分の清掃も充分に行うことができる。又、風呂水を使用して洗濯を行うときの洗剤投入時に、風呂水から発せられる湯気、湿気等が洗剤投入装置の洗剤出口部分及び洗剤投入装置内に影響を及ぼすことがなくて、それらの部分での洗剤の固まりを回避することができる。
【００６４】
請求項２の洗濯機によれば、洗剤の溶解、流し出しが一層確実にできる。
請求項３の洗濯機によれば、過多量の水による洗剤の飛散や、注水部材の他の部分からの水漏れを防止することができる。
請求項４の洗濯機によれば、注水ケースと給水ポンプとをコンパクトに組立てることができて、それらの配置に場所をとらないようにできると共に、それらをユニット化して組立てることも可能で、組立性を良くすることができる。
【００６５】
請求項５の洗濯機によれば、着脱可能部材を取出した状態で給水が行われたときに、水がその着脱可能部材を取出した箇所の底面に当たって跳ねることが避けられて、洗濯機外への水の飛散を防止することができる。
請求項６の洗濯機によれば、洗剤受け部上に落ちた洗剤の流し出しを、よりスムーズに行うことができる。
【図面の簡単な説明】
【図１】本発明の一実施例を示す、図４のＡ−Ａ線に沿う主要部分の拡大縦断側面図
【図２】全体の斜視図
【図３】図２のＢ−Ｂ線に沿う主要部分の拡大縦断正面図
【図４】主要部分の、バックカバーを取外した状態の平面図
【図５】注水ケース単体の拡大平面図
【図６】注水ケース単体の拡大正面図
【図７】図５のＣ−Ｃ線に沿う注水ケースの部分拡大縦断側面図
【図８】図５のＤ−Ｄ線に沿う注水ケースの部分拡大縦断側面図
【図９】図５のＥ−Ｅ線に沿う注水ケースの縦断側面図
【図１０】図４のＦ−Ｆ線に沿う主要部分の拡大縦断側面図
【図１１】引出し単体の正面図
【図１２】引出し単体の平面図
【図１３】図１２のＧ−Ｇ線に沿う引出しの部分拡大縦断側面図
【図１４】図１２のＨ−Ｈ線に沿う引出しの部分拡大縦断側面図
【符号の説明】
３は洗濯槽、９は洗剤投入装置、２９は注水ケース（注水部材）、３０は給水ポンプ、３４は第１の給水路（水道水を流す給水路）、３７は調整水路（隣り合う水路）、３８は給水出口、４３は壁、５３は洗剤通口、５７は爪（固定手段）、７４は引出し（着脱可能部材）、７７は洗剤受け部、８０は囲い部の後壁部（整流部材）を示す。
【図１】
0003920007.tif 000002
【図２】
0003920007.tif 000003
【図３】
0003920007.tif 000004
【図４】
0003920007.tif 000005
【図５】
0003920007.tif 000006
【図６】
0003920007.tif 000007
【図７】
0003920007.tif 000008
【図８】
0003920007.tif 000009
【図９】
0003920007.tif 000010
【図１０】
0003920007.tif 000011
【図１１】
0003920007.tif 000012
【図１２】
0003920007.tif 000013
【図１３】
0003920007.tif 000014
【図１４】
0003920007.tif 000015